(57)【要約】  【課題】視点の移動に伴って相異なる画像が再生される画像記録媒体を観察したときにおける、それぞれの画像の観察しやすさを向上させる。  【解決手段】ホログラム複製方法は、ホログラム画像が記録されたホログラム原版を、ホログラム記録媒体の一面に対して配置し、第１のレーザ光を、拡散板を介してホログラム原版およびホログラム記録媒体に対して照射するとともに、第２のレーザ光を付加情報に応じて変調し、ホログラム原版を介してホログラム記録媒体に対して照射することを含んでいる。【選択図】図１
2013122573.tif 000002
【特許請求の範囲】
【請求項１】
所定の角度から照明した際に、法線に対して第１の方向に沿って視点を動かすと少なくとも該第１の方向には連続した視差をもつホログラム画像が記録されたホログラム原版を、感光性材料を含むホログラム記録媒体の一面に対して直接または屈折率調整体を介して密着させ、
第１のレーザ光を、入射した光を第２の方向に関して拡散させる拡散板を介して前記ホログラム原版および前記ホログラム記録媒体に対して照射するとともに、入射した光を第１の付加情報に応じて変調する第１の空間光変調素子を通過した第２のレーザ光を、前記ホログラム記録媒体に対して前記第１のレーザ光と同時に前記ホログラム原版を介して照射し、
前記ホログラム原版に記録されたホログラム画像と、前記第１の付加情報とを前記ホログラム記録媒体に記録するホログラム複製方法。
【請求項２】
前記ホログラム原版における、前記ホログラム記録媒体が密着される側とは反対側の主面と近接して光偏向素子がさらに配置される請求項１に記載のホログラム複製方法。
【請求項３】
前記拡散板が、前記ホログラム記録媒体に離間して配置される請求項１に記載のホログラム複製方法。
【請求項４】
前記拡散板の表面が、前記第１の方向に延長するレンチキュラ形状の構造体の配列を有する請求項１に記載のホログラム複製方法。
【請求項５】
前記ホログラム記録媒体が、情報を体積型ホログラムとして記録するホログラム記録媒体である請求項１に記載のホログラム複製方法。
【請求項６】
前記第１の付加情報が、識別情報である請求項１に記載のホログラム複製方法。
【請求項７】
前記ホログラム原版に記録されている前記ホログラム画像が、ホログラフィックステレオグラムである請求項１に記載のホログラム複製方法。
【請求項８】
前記第２のレーザ光の波長と、前記ホログラム原版に記録されている前記ホログラム画像を再生させるための光の波長とが、相異なる請求項１に記載のホログラム複製方法。
【請求項９】
前記第２のレーザ光の波長と、前記ホログラム原版に記録されている前記ホログラム画像を再生させるための光の波長とが、少なくとも２５ｎｍ以上離れている請求項１に記載のホログラム複製方法。
【請求項１０】
入射した光を第２の付加情報に応じて変調する第２の空間光変調素子を通過した第３のレーザ光を、前記ホログラム記録媒体に対して前記第２のレーザ光とは異なる入射角でもって前記第１のレーザ光と同時に前記ホログラム原版を介してさらに照射し、
前記第２の付加情報を前記ホログラム記録媒体にさらに記録する請求項１に記載のホログラム複製方法。
【請求項１１】
ホログラム画像が記録されたホログラム原版を、ホログラム記録媒体の一面に対して配置し、
第１のレーザ光を、拡散板を介して前記ホログラム原版および前記ホログラム記録媒体に対して照射するとともに、第２のレーザ光を付加情報に応じて変調し、前記ホログラム原版を介して前記ホログラム記録媒体に対して照射する
ことを含むホログラム複製方法。
【請求項１２】
前記拡散板は、入射した光を等方性拡散する拡散板である請求項１１に記載のホログラム複製方法。
【請求項１３】
前記等方性拡散の拡散角度は、１０°以下の範囲内ある請求項１２に記載のホログラム複製方法。
【請求項１４】
前記拡散板は、入射した光を異方性拡散する拡散板である請求項１１に記載のホログラム複製方法。
【請求項１５】
前記異方性拡散は、入射した光を第１の方向に比して第２の方向に広く拡散させる異方性拡散である請求項１４に記載のホログラム複製方法。
【請求項１６】
前記拡散板は、ホログラフィックディフューザである請求項１１に記載のホログラム複製方法。
【請求項１７】
所定の角度から照明した際に、法線に対して第１の方向に沿って視点を動かすと少なくとも該第１の方向には連続した視差をもつホログラム画像が記録されたホログラム原版と、前記ホログラム原版の一面に直接または屈折率調整体を介して密着される、感光性材料を含むホログラム記録媒体とに第１のレーザ光を照射するための第１の照射光学系と、
前記第１の照射光学系と、前記ホログラム記録媒体との間に配置され、入射した光を第２の方向に関して拡散させる拡散板と、
前記ホログラム原版を介して、前記ホログラム記録媒体に第２のレーザ光を照射するための第２の照射光学系と、
前記第２の照射光学系と、前記ホログラム原版との間に配置され、入射した光を付加情報に応じて変調する空間光変調素子と
を備え、
前記第１のレーザ光と、前記第２のレーザ光とを同時に照射することにより、前記ホログラム原版に記録されたホログラム画像と、前記付加情報とを前記ホログラム記録媒体に記録するホログラム複製装置。
【請求項１８】
ホログラム画像が記録されたホログラム原版と、前記ホログラム原版の一面に配置されるホログラム記録媒体とに第１のレーザ光を照射するための第１の照射光学系と、
前記第１の照射光学系と、前記ホログラム記録媒体との間に配置された拡散板と、
前記ホログラム原版を介して、前記ホログラム記録媒体に第２のレーザ光を照射するための第２の照射光学系と、
前記第２の照射光学系と、前記ホログラム原版との間に配置され、入射した光を付加情報に応じて変調する空間光変調素子と
を備えるホログラム複製装置。
【発明の詳細な説明】
【技術分野】
【０００１】
本開示は、ホログラムの複製方法および複製装置に関する。本開示は、特に、相異なる方向に視差（parallax）を有する少なくとも２つの情報をホログラムの記録媒体に記録するための複製方法および複製装置に関する。
【背景技術】
【０００２】
クレジットカード、身分証明書などの真贋判定のために、立体表示が可能なホログラムが利用されている。近年では、干渉パターンが屈折率の差として記録層内部に記録された体積型ホログラムが使用されることが多い。これは、体積型ホログラムの偽造に際しては、記録画像の制作に高度な技術が要求されることと、体積型ホログラムの記録材料が入手困難なことによる。
【０００３】
しかしながら、体積型ホログラムの複製技術も日々進歩しており、ホログラムには、より高度な真贋判定機能や偽造防止の対策が求められている。ホログラムに対してより高度な真贋判定機能を与える方法として、本出願人らのうちの１人は、ホログラムの観察方向に応じて、相異なる画像が再生されるように記録を行うことを提案している。
【０００４】
例えば、下記の特許文献１には、所定の方向からの照明のもとで観察すると、視点の移動に伴って相異なる画像が再生される画像記録媒体が開示されている。該画像記録媒体を所定の方向からの照明のもとで観察すると、視点の左右方向への移動に伴って、連続した視差を有する第１の画像が再生される。一方、視点を例えば上下方向に動かすと、所定の角度範囲において第２の画像が再生される。第２の画像は、例えば、番号、記号または文字の組合せなどの二次元画像である。
【０００５】
下記の特許文献１によれば、記録された複数の画像が重なって見づらくなること（以下、「クロストーク」と適宜称する。）を防止するために、ホログラム記録媒体への情報の記録に際しては、ホログラム記録媒体に対する付加情報光の入射角が規定される。付加情報光の入射角により、第２の画像を再生させたときの、第２の画像が最大輝度で再生される角度が決定される。
【０００６】
下記の特許文献１に記載の技術では、第１の画像が最大輝度で再生される角度と、第２の画像が最大輝度で再生される角度とが近づきすぎないように、ホログラム記録媒体に対する付加情報光の入射角および参照光の入射角が選ばれる。
【０００７】
また、下記の特許文献１によれば、ホログラム記録媒体への情報の記録に際しては、ホログラム記録媒体に対する付加情報光の拡散角が規定される。付加情報光の拡散角により、第２の画像を観察することのできる視点の範囲が決定される。第２の画像の再生光の強度分布は、第２の画像が最大輝度で再生される角度から離れるに従い漸減する強度分布とされる。
【０００８】
ここで、第２の画像の再生光の強度分布が急峻なピークを有すると、第２の画像を観察できる視点の範囲がごく狭い角度範囲に制限され、第２の画像が観察しづらいこともあった。言い換えれば、視点の移動に伴う第２の画像の再生光強度の変化が急激であると、クロストークは防止されるが、かえって第２の画像が観察しづらいこともあった。
【先行技術文献】
【特許文献】
【０００９】
【特許文献１】特開２０１０−１７６１１６号公報
【発明の概要】
【発明が解決しようとする課題】
【００１０】
視点を移動させる方向が相異なる場合に相異なる画像がそれぞれ再生される画像記録媒体においては、再生されるそれぞれの画像が観察しやすいことが望まれている。
【課題を解決するための手段】
【００１１】
第１の開示は、
所定の角度から照明した際に、法線に対して第１の方向に沿って視点を動かすと少なくとも該第１の方向には連続した視差をもつホログラム画像が記録されたホログラム原版を、感光性材料を含むホログラム記録媒体の一面に対して直接または屈折率調整体を介して密着させ、
第１のレーザ光を、入射した光を第２の方向に関して拡散させる拡散板を介してホログラム原版およびホログラム記録媒体に対して照射するとともに、入射した光を第１の付加情報に応じて変調する第１の空間光変調素子を通過した第２のレーザ光を、ホログラム記録媒体に対して第１のレーザ光と同時にホログラム原版を介して照射し、
ホログラム原版に記録されたホログラム画像と、第１の付加情報とをホログラム記録媒体に記録するホログラム複製方法である。
【００１２】
第２の開示は、
ホログラム画像が記録されたホログラム原版を、ホログラム記録媒体の一面に対して配置し、
第１のレーザ光を、拡散板を介してホログラム原版およびホログラム記録媒体に対して照射するとともに、第２のレーザ光を付加情報に応じて変調し、ホログラム原版を介してホログラム記録媒体に対して照射する
ことを含むホログラム複製方法である。
【００１３】
第３の開示は、
ホログラム複製装置が、第１の照射光学系と、拡散板と、第２の照射光学系と、空間光変調素子とを備える。
第１の照射光学系は、ホログラム原版と、感光性材料を含むホログラム記録媒体とに第１のレーザ光を照射する。
ホログラム原版には、所定の角度から照明した際に、法線に対して第１の方向に沿って視点を動かすと少なくとも該第１の方向には連続した視差をもつホログラム画像が記録されている。
ホログラム記録媒体は、ホログラム原版の一面に直接または屈折率調整体を介して密着される。
拡散板は、第１の照射光学系と、ホログラム記録媒体との間に配置され、入射した光を第２の方向に関して拡散させる。
第２の照射光学系は、ホログラム原版を介して、ホログラム記録媒体に第２のレーザ光を照射する。
空間光変調素子は、第２の照射光学系と、ホログラム原版との間に配置され、入射した光を付加情報に応じて変調する。
ホログラム複製装置は、第１のレーザ光と、第２のレーザ光とを同時に照射することにより、ホログラム原版に記録されたホログラム画像と、付加情報とをホログラム記録媒体に記録する。
【００１４】
第４の開示は、
ホログラム画像が記録されたホログラム原版と、ホログラム原版の一面に配置されるホログラム記録媒体とに第１のレーザ光を照射するための第１の照射光学系と、
第１の照射光学系と、ホログラム記録媒体との間に配置された拡散板と、
ホログラム原版を介して、ホログラム記録媒体に第２のレーザ光を照射するための第２の照射光学系と、
第２の照射光学系と、ホログラム原版との間に配置され、入射した光を付加情報に応じて変調する空間光変調素子と
を備えるホログラム複製装置である。
【００１５】
本開示では、ホログラム記録媒体に対する、ホログラム原版に記録されたホログラム画像の複製および付加情報の二次元画像の記録に際し、参照光を照射するための照射光学系と、ホログラム記録媒体との間に拡散板が配置される。ホログラム原版は、例えば、左右方向（第１の方向）に連続した視差を有するホログラム画像が記録されたホログラム原版である。
【００１６】
参照光を照射するための照射光学系と、ホログラム記録媒体との間に配置された拡散板は、ホログラム記録媒体に複製されたホログラム画像（第１の画像）およびホログラム記録媒体に記録された付加情報の二次元画像（第２の画像）の観察される視点の範囲を拡大する機能を有する。
【００１７】
ここで、第１および第３の開示においては、入射した光を所定の方向に関して拡散させる性質を有する拡散板が使用される。該所定の方向は、ホログラム原版から連続した視差をもってホログラム画像が再生される視点の移動方向と異なる方向（第２の方向）とされる。
【００１８】
したがって、第１および第３の開示では、ホログラム記録媒体に複製または記録された画像を観察することのできる視点の範囲のうち、主として、第２の方向に関する視点の範囲が拡大される。すなわち、主として、第２の方向に関する、第２の画像を観察することのできる視点の範囲が拡大されることとなる。
【００１９】
本開示によれば、第２の方向に関する、第２の画像を観察することのできる視点の範囲が拡大されるとともに、第２の画像に関する再生光の強度分布におけるピークが緩和されたものとなる。したがって、第２の画像の観察のしやすさが向上する。
【００２０】
さらに、本開示では、参照光を照射するための照射光学系と、ホログラム記録媒体との間に拡散板が配置されているので、ホログラム記録媒体の表面にごく近い略一定平面において付加情報の二次元画像が結像される。ホログラム記録媒体の面上に二次元画像が定位されるので、第２の画像が二次元画像である場合であっても、再生像のシャープネスの低下が抑制され、画像記録媒体から再生される再生像の観察しやすさ、画像記録媒体の製造のしやすさが両立される。
【００２１】
本明細書中においては、「ホログラム記録媒体」とは、情報がホログラフィックに記録される前の記録媒体を指すものとし、「画像記録媒体」とは、情報が記録された後の記録媒体を指すものとする。
【発明の効果】
【００２２】
少なくとも１つの実施例によれば、視点の移動に伴って相異なる画像が再生される画像記録媒体を観察したときにおける、それぞれの画像の観察しやすさを向上させることができる。
【図面の簡単な説明】
【００２３】
【図１】図１は、第１の実施形態にかかるホログラム複製装置の一構成例を示す略線図である。
【図２】図２Ａ〜図２Ｄは、本開示の実施形態にかかるホログラム複製装置により得られる画像記録媒体から再生される再生像の一例を示す図である。
【図３】図３Ａは、図１に示すホログラム記録媒体の周辺を拡大して示す略線図である。図３Ｂは、本開示のホログラム複製方法に適用される拡散板の一例の断面を示す模式図である。図３Ｃは、図３Ｂに示す拡散板の平面図である。
【図４】図４は、第２の実施形態にかかるホログラム複製装置の一構成例を示す略線図である。
【図５】図５は、第３の実施形態にかかるホログラム複製装置の一構成例を示す略線図である。
【図６】図６は、第４の実施形態にかかるホログラム複製装置の一構成例を示す略線図である。
【図７】図７は、第５の実施形態にかかるホログラム複製装置の一構成例を示す略線図である。
【図８】図８Ａは、レンチキュラ形状の構造体を備える拡散板における、複数のレンチキュラ形状と、各形状パラメータとの関係の説明に用いる図である。図８Ｂおよび図８Ｃは、回折光強度の測定方法を示した概略図である。
【図９】図９Ａおよび図９Ｂは、各サンプルに関する輝度の測定結果を示す図である。
【図１０】図１０Ａおよび図１０Ｂは、各サンプルに関する輝度の測定結果を示す図である。
【図１１】図１１Ａおよび図１１Ｂは、各サンプルに関する輝度の測定結果を示す図である。
【図１２】図１２Ａおよび図１２Ｂは、各サンプルに関する輝度の測定結果を示す図である。
【図１３】図１３は、ホログラム記録媒体に対して、左右方向に連続した視差を有するホログラム画像と、上下方向に視差を有する、ホログラムとしての二次元画像とを記録するためのホログラム複製装置の一構成例を示す略線図である。
【図１４】図１４Ａは、ホログラム記録媒体の一例の断面を示す模式図である。図１４Ｂ〜図１４Ｄは、光重合型フォトポリマの感光プロセスを示す略線図である。
【発明を実施するための形態】
【００２４】
以下、ホログラム複製方法およびホログラム複製装置の実施形態について説明する。説明は、以下の順序で行う。
＜０．二次元画像が重畳記録された画像記録媒体の製造方法＞
［ホログラム複製装置の一構成例］
［二次元画像の定位位置］
＜１．第１の実施形態＞
［ホログラム複製装置の一構成例］
［画像記録媒体］
［拡散板］
＜２．第２の実施形態＞
［ホログラム複製装置の一構成例］
＜３．第３の実施形態＞
［ホログラム複製装置の一構成例］
＜４．第４の実施形態＞
［ホログラム複製装置の一構成例］
＜５．第５の実施形態＞
［ホログラム複製装置の一構成例］
＜６．変形例＞
【００２５】
なお、以下に説明する実施形態は、ホログラム複製方法およびホログラム複製装置の好適な具体例である。以下の説明においては、技術的に好ましい種々の限定が付されているが、特に本開示を限定する旨の記載がない限り、ホログラム複製方法およびホログラム複製装置の例は、以下に示す実施形態に限定されないものとする。
【００２６】
＜０．二次元画像が重畳記録された画像記録媒体の製造方法＞
本開示の実施形態の理解を容易とするため、まず、二次元画像の重畳記録された画像記録媒体の製造方法の概略について説明を行う。該画像記録媒体は、具体的には、左右方向に連続した視差を有するホログラム画像と、上下方向に視差を有する、ホログラムとしての二次元画像とが記録された体積型ホログラムである。
【００２７】
［ホログラム複製装置の一構成例］
図１３は、ホログラム記録媒体に対して、左右方向に連続した視差を有するホログラム画像と、上下方向に視差を有する、ホログラムとしての二次元画像とを記録するためのホログラム複製装置の一構成例を示す略線図である。
【００２８】
図１３に示すように、ホログラム複製装置１０１は、概略的には、ホログラム記録媒体１５に対して、参照光を照射するための光学系と、液晶パネル１２５などの空間変調素子によって変調された光を照射するための光学系とを備えている。ホログラム記録媒体１５には、２つの干渉パターンが重畳して記録される。２つの干渉パターンのうちの１つは、参照光が照射されることによりホログラム原版１０から出射される回折光（再生光）と、参照光との干渉による干渉パターンである。２つの干渉パターンのうちのもう１つは、付加情報光と、参照光との干渉による干渉パターンである。
【００２９】
以下、図１３を参照しながら、ホログラム複製装置１０１を使用した、画像記録媒体の製造方法の概略について説明する。
【００３０】
まず、レーザ光源１００からのレーザ光が、１／２波長板１０３を介して偏光ビームスプリッタ１０５に入射する。１／２波長板１０３は、レーザ光の偏光面を回転させる。
【００３１】
なお、レーザ光源１００から出射されるレーザ光の波長としては、後述するホログラム原版１０に記録された画像の再生に必要な色の波長成分を含んでいればよい。レーザ光源１００から出射されるレーザ光の波長としては、例えば、約５３２ｎｍの波長が選択される。
【００３２】
偏光ビームスプリッタ１０５によって、レーザ光の一部（例えば、Ｓ偏光成分）が反射され、反射されたレーザ光が、空間フィルタ１１１によって拡大される。空間フィルタ１１１からのレーザ光は、コリメーションレンズ１１３に入射する。
【００３３】
コリメーションレンズ１１３によって平行光とされたレーザ光が、感光性材料の層を有するホログラム記録媒体１５と、ホログラム原版１０とに照射される。このときのホログラム記録媒体１５に対するレーザ光の入射角θ１は、例えば、４５°に設定される。なお、ホログラム記録媒体１５と、ホログラム原版１０とは、直接密着されるか、屈折率調整液（インデックスマッチング液と称される。）を介して密着される。
【００３４】
以下、図１３に示すように、ホログラム記録媒体１５の左右方向および上下方向をそれぞれＸ方向、Ｙ方向とする。また、ホログラム記録媒体１５にたてた法線Ｎと平行であり、かつホログラム原版１０からホログラム記録媒体１５に向かう方向をＺ方向とする。
【００３５】
図１４Ａは、ホログラム記録媒体の一例の断面を示す模式図である。ホログラム記録媒体１５は、図１４Ａに示すように、テープ状に形成されたフィルムベース材１５ａと、光重合型フォトポリマからなるフォトポリマ層１５ｂと、カバーシート１５ｃとが順に積層された積層構造を有する。図１４Ａに例示するホログラム記録媒体１５は、いわゆるフィルム塗布タイプの記録媒体である。
【００３６】
図１４Ｂ〜図１４Ｄは、光重合型フォトポリマの感光プロセスを示す略線図である。光重合型フォトポリマは、初期状態では、図１４Ｂに示すように、モノマＭがマトリクスポリマに均一に分散している。
【００３７】
図１４Ｃに示すように、光重合型フォトポリマに対して１０〜４００ｍＪ／ｃｍ2程度のパワーの光ＬＡを照射すると、露光部においてモノマＭが重合する。そして、ポリマ化するにつれて周囲からモノマＭが移動してモノマＭの濃度が場所によって変化し、これにより、屈折率変調が生じる。
【００３８】
この後、図１４Ｄに示すように、１０００ｍＪ／ｃｍ2程度のパワーの光ＬＢを光重合型フォトポリマの全面に照射することにより、モノマＭの重合が完了する。１０００ｍＪ／ｃｍ2程度のパワーの光ＬＢは、例えば、紫外線や可視光である。
【００３９】
このように、光重合型フォトポリマは、入射された光に応じて屈折率が変化するので、参照光と物体光との干渉によって生じる干渉パターンを、屈折率の変化として記録することができる。光重合型フォトポリマを用いたホログラム記録媒体１５は、露光後に特別な現像処理を施す必要がない。そのため、ホログラム記録媒体１５に光重合型フォトポリマを用いることにより、ホログラム複製装置の構成を簡略化することができる。
【００４０】
ホログラム原版１０は、例えば、左右方向に連続した視差を有するホログラフィックステレオグラムの記録された体積型ホログラムである。ホログラフィックステレオグラムは、観察時に左右方向および上下方向の両方向に視差を有するホログラフィックステレオグラムであってもよい。また、ホログラム原版１０は、被写体にレーザ光を照射して制作される実写ホログラムの記録された体積型ホログラムなどであってもよい。以下の説明においては、ホログラム原版１０が、左右方向に連続した視差を有するホログラフィックステレオグラムの記録された体積型ホログラムであるものとして説明を行う。
【００４１】
ホログラム原版１０に対して、コリメーションレンズ１１３によって平行光とされたレーザ光（参照光）が照射されることにより、ホログラム原版１０から、記録された画像に関する再生光が出射される。
【００４２】
すなわち、ホログラム記録媒体１５には、ホログラム原版１０からの再生光と、コリメーションレンズ１１３によって平行光とされたレーザ光（参照光）との干渉パターンが記録される。言い換えれば、ホログラム記録媒体１５には、ホログラム原版１０に記録された、左右方向に連続した視差を有する画像（第１の画像）が複製されることになる。
【００４３】
一方、偏光ビームスプリッタ１０５を通過したレーザ光（例えば、Ｐ偏光成分）は、ミラー１０７で反射されて空間フィルタ１１２に入射する。空間フィルタ１１２によって拡大されたレーザ光が、コリメーションレンズ１１４によって平行光とされ、ミラー１０９に入射する。
【００４４】
ミラー１０９によって反射されたレーザ光は、空間光変調素子としての液晶パネル１２５に入射する。
【００４５】
液晶パネル１２５に対しては、例えば、マイクロコンピュータなどの液晶駆動部が接続される。液晶駆動部の制御により、液晶パネル１２５には、付加情報の画像が表示される。したがって、ホログラム記録媒体１５に対しては、上述した参照光に加えて、付加情報が重畳されたレーザ光（付加情報光）がさらに照射されることになる。なお、このときのホログラム記録媒体１５に対するレーザ光の入射角θ２は、例えば、２３°に設定される。
【００４６】
ここで、付加情報とは、例えば、画像記録媒体のそれぞれに対するユニークな識別情報である。該識別情報の形態としては、例えば、シリアル番号や一次元バーコード、二次元バーコードなどが挙げられる。
【００４７】
液晶パネル１２５の出射面には、偏光板１２７が配置される。偏光板１２７は、付加情報光と、参照光との干渉性を高めるために配置される。
【００４８】
例えば、参照光が偏光ビームスプリッタ１０５内部の反射面に対してＳ偏光であり、液晶パネル１２５に入射する光がＰ偏光であった場合、液晶パネル１２５に入射した光の偏光面は、液晶パネル１２５により、Ｐ偏光からＳ偏光へと回転させられる。このとき、偏光板１２７は、Ｓ偏光（付加情報光）のみを透過させる。
【００４９】
偏光板１２７を通過した付加情報光は、投影レンズ１２１、絞り（マスク）１２２および投影レンズ１２３からなる結像光学系１２９を介して、ホログラム記録媒体１５に入射する。したがって、ホログラム記録媒体１５には、付加情報光と、参照光との干渉パターンが記録される。言い換えれば、ホログラム記録媒体１５には、第１の画像に加えて、例えば、画像記録媒体のそれぞれに対して相異なるようにされた付加情報（第２の画像）が、ホログラム画像として記録されることになる。
【００５０】
第２の画像を観察することのできる視点の範囲は、付加情報光の拡散角により規定される。図１３に示す構成例では、結像光学系１２９により、付加情報光の拡散角が制御される。すなわち、第２の画像を観察することのできる視点の範囲は、結像光学系１２９により制御される。
【００５１】
なお、図１３に示す構成例では、結像光学系１２９と、ホログラム記録媒体１５との間に、拡散板１３１およびルーバ１７が順に配置される。拡散板は、ミラー１０９と、液晶パネル１２５との間に配置されていてもよい。
【００５２】
拡散板１３１と、ホログラム原版１０との間に介在されたルーバ１７は、不要な反射光がホログラム原版１０に入射することを防止するために配置される。
【００５３】
ルーバ１７は、例えば、平面状の黒色の吸収層を一定間隔で透明板の内部に配置した構成を有する。ルーバ１７の吸収層により、ホログラム原版１０への付加情報光が通過し、かつ参照光が拡散板１３１側へ通過しないようにすることができる。
【００５４】
拡散板１３１と、ホログラム原版１０との間にルーバ１７を配置することにより、ホログラム原版１０と、空気との界面で反射した参照光が、ホログラム原版１０に戻ることを防止することができる。
【００５５】
このようにして、ホログラム記録媒体１５に対して、左右方向に連続した視差を有するホログラム画像の複製と、上下方向に視差を有する、ホログラムとしての二次元画像の記録とが行われる。
【００５６】
ホログラム画像の複製および二次元画像の記録を終えたホログラム記録媒体１５に対しては、ホログラム画像の定着や裁断などの後処理が施される。
【００５７】
上述した工程を経て、左右方向に連続した視差を有するホログラム画像と、上下方向に視差を有する、ホログラムとしての二次元画像とが記録された画像記録媒体が得られる。上述したホログラム複製装置１０１により得られる画像記録媒体のそれぞれは、左右方向に連続した視差を有するホログラム画像を共通としながら、例えば、上下方向に視差を有するホログラム画像としてのシリアル番号を備えた画像記録媒体となる。
【００５８】
該画像記録媒体においては、左右方向に連続した視差を有するホログラム画像と、上下方向に視差を有する、ホログラムとしての二次元画像とが、屈折率変調により、１層の材料中に記録されている。二次元画像の再生光の強度分布を、二次元画像が最大輝度で再生される角度から離れるに従い漸減する強度分布とすることにより、画像記録媒体から観察される画像が、２ステップ方式で記録された切り替え型ホログラムとは異なったものとすることができる。
【００５９】
［二次元画像の定位位置］
左右方向に連続した視差を有するホログラム画像とは異なる深さに二次元画像を定位させることにより、観察者が画像記録媒体を観察したときに、観察者は、左右方向に連続した視差を有するホログラム画像と、二次元画像とを容易に区別して認識できる。
【００６０】
ここで、二次元画像を定位させる位置がホログラム記録媒体の表面から大きく離れると、二次元画像の再生像のシャープネスが劣化する傾向がある。例えば、表面に対して深い位置に二次元画像が定位された画像記録媒体を、拡散光源による照明下において観察したときに、再生像のシャープネスが低いと、記録された付加情報が読み取りにくくなる。
【００６１】
図１３に示す構成例においては、二次元画像（第２の画像）を観察することのできる視点の範囲を広げるための拡散板１３１が、結像光学系１２９と、ホログラム記録媒体１５との間に介在されている。
【００６２】
すると、拡散板１３１を通過した光は、ホログラム記録媒体１５に到達する前に、ホログラム原版１０の厚さの分だけ拡散してしまい、ホログラム記録媒体に対して、二次元画像を所望の位置に定位させることが困難になる。すなわち、結像光学系１２９と、ホログラム記録媒体１５との間に拡散板１３１を介在させた場合には、二次元画像の“定位ずれ”が生じる。
【００６３】
拡散板１３１と、ホログラム記録媒体１５との間にルーバ１７を介在させた場合には、拡散板１３１と、ホログラム記録媒体１５との間の距離が、ルーバ１７の厚さの分だけさらに増加してしまう。
【００６４】
拡散板１３１と、ホログラム記録媒体１５との間の距離が大きいと、再生像のシャープネスが低くなるとともに、画像記録媒体の観察者が画像記録媒体を観察したときに、二次元画像が奥まった位置にあるように感じられてしまう。
【００６５】
例えば、二次元画像の“定位ずれ”のある画像記録媒体を、拡散光源による照明下において観察すると、二次元画像がぼやけて見えるほか、複数個の光源による照明下においては、画像記録媒体から複数多重像が再生されてしまう。また、画像記録媒体をある方向から観察したときに、二次元画像の一部が途切れて見えてしまうこともある。すなわち、二次元画像の“定位ずれ”があると、画像記録媒体の観察者が、記録された付加情報を読みとりにくくなってしまう。
【００６６】
本開示の技術は、上述した、二次元画像の“定位ずれ”を防止すべく本出願人らが検討を重ねた結果に案出されたものである。
【００６７】
＜１．第１の実施形態＞
［ホログラム複製装置の一構成例］
図１は、第１の実施形態にかかるホログラム複製装置の一構成例を示す略線図である。図１に示すように、ホログラム複製装置１１は、ホログラム記録媒体１５およびホログラム原版１０に参照光を照射するための光学系と、ホログラム記録媒体１５に物体光としての付加情報光を照射するための光学系とを備えている。
【００６８】
図１に示すように、参照光は、例えば、レーザ光源１００から出射された後に１／２波長板１０３を通過したレーザ光を、偏光ビームスプリッタ１０５により分岐させることにより生成される。分岐されたレーザ光のうちの一方が、空間フィルタ１１１およびコリメーションレンズ１１３を介して、参照光としてホログラム記録媒体１５およびホログラム原版１０に照射される。空間フィルタ１１１およびコリメーションレンズ１１３の組は、参照光の照射光学系Ｓｏ１を構成する。
【００６９】
参照光は、照射光学系Ｓｏ１と、ホログラム記録媒体１５との間に配置された拡散板１３を介して、ホログラム記録媒体１５およびホログラム原版１０に入射する。
【００７０】
後述するように、本開示では、照射光学系Ｓｏ１と、ホログラム記録媒体１５との間に配置される拡散板１３として、入射した光を特定の方向に関して拡散させる性質を有する拡散板が使用される。入射した光を拡散させる方向は、ホログラム原版１０から連続した視差をもってホログラム画像が再生される視点の移動方向とは異なる方向とされる。
【００７１】
参照光は、ホログラム記録媒体１５にたてた法線Ｎに対して、角度θ１をもってホログラム記録媒体１５およびホログラム原版１０に入射する。
【００７２】
ホログラム原版１０には、入射角が角度θ１なる方向から照明された際に再生されるホログラム画像（第１の画像）が記録されている。該ホログラム画像は、例えば、法線Ｎに対して、ある方向に沿って視点を動かすと少なくとも該方向には連続した視差をもって再生されるホログラム画像である。ホログラム原版１０から、連続した視差をもってホログラム画像が再生される視点の移動方向は、例えば、ホログラム原版１０の左右方向（ホログラム記録媒体１５の左右方向といってもよい。）とされる。
【００７３】
ホログラム原版１０の一面には、直接または屈折率調整体を介して、感光性材料を含むホログラム記録媒体１５が密着される。したがって、ホログラム原版１０に対して参照光が照射されることにより、ホログラム原版１０からホログラム画像が再生され、ホログラム原版１０に記録されたホログラム画像が、ホログラム記録媒体１５に複製される。
【００７４】
偏光ビームスプリッタ１０５により分岐された残余のレーザ光は、空間フィルタ１１２およびコリメーションレンズ１１４を通過した後、ミラー１０９に入射する。ミラー１０９により反射されたレーザ光は、液晶パネル１２５、偏光板１２７および結像光学系１２９を介して、ホログラム記録媒体１５に照射される。
【００７５】
上述したように、液晶パネル１２５には、付加情報の画像が表示される。例えば、ホログラム記録媒体１５に対して多面づけで識別情報の記録を行う場合、液晶パネル１２５の画面には、多面づけの各面に対応して区分された領域ごとに、相異なるシリアル番号やバーコードなどが表示される。
【００７６】
液晶パネル１２５を通過したレーザ光には、液晶パネル１２５の画面に表示された付加情報が重畳される。付加情報が重畳されたレーザ光（付加情報光）と、照射光学系Ｓｏ１から照射される参照光との干渉により、付加情報が二次元画像としてホログラム記録媒体１５に記録される。
【００７７】
すなわち、付加情報光は、二次元画像をホログラフィックに記録するための物体光である。空間フィルタ１１２およびコリメーションレンズ１１４の組は、物体光を生成するための照射光学系Ｓｏ２を構成している。
【００７８】
物体光としての付加情報光は、ホログラム記録媒体１５にたてた法線Ｎに対して、角度θ２をもってホログラム原版１０の側からホログラム記録媒体１５に入射する。必要に応じて、ルーバ１７が、ホログラム原版１０に近接して配置される。ルーバ１７が配置されることにより、不要な反射光のホログラム原版１０への入射が防止され、得られる画像記録媒体の品質が向上する。
【００７９】
ホログラム記録媒体１５に対して、参照光と、付加情報光とが同時に照射されることにより、ホログラム原版１０に記録されたホログラム画像と、付加情報とが、ホログラム記録媒体１５に記録される。
【００８０】
図１に示す構成例では、ホログラム記録媒体１５に入射する付加情報光は、拡散角θ３を有している。図１に示す構成例では、付加情報の二次元画像の記録時において、ホログラム記録媒体１５に対して、拡散板１３を介して参照光が照射される。そのため、記録後のホログラム記録媒体１５に対して、入射角が角度θ１なる方向から照明光を照射したときにおける、画像記録媒体からの付加情報の二次元画像に関する回折光（再生光）は、出射角θ２を中心として、上下方向に関して±θ３以上の広がりをもつ。画像記録媒体からの付加情報の二次元画像に関する回折光が、上下方向に関して±θ３以上の広がりをもつので、視点を例えば上下方向に動かすと、法線Ｎに対する角度がθ２となる方向に視点があるときに、付加情報の二次元画像が観察される。このように、ホログラム記録媒体１５に記録される付加情報の二次元画像は、上下方向に視差を有する、ホログラムとしての二次元画像である。
【００８１】
したがって、図１に示す構成例においては、ホログラム原版１０から複製されるホログラム画像が左右方向に連続した視差を有し、かつホログラム記録媒体１５に記録される付加情報の二次元画像が上下方向に視差を有するものとなる。
【００８２】
［画像記録媒体］
図２Ａ〜図２Ｄは、本開示の実施形態にかかるホログラム複製装置により得られる画像記録媒体から再生される再生像の一例を示す図である。ホログラム複製装置１１により得られる画像記録媒体１には、左右方向に連続した視差を有するホログラム画像と、上下方向に視差を有する、ホログラムとしての二次元画像とが、屈折率変調により、１層の材料中に記録されている。
【００８３】
例えば、入射角が角度θ１なる方向からの照明光のもとで画像記録媒体１を正面から観察すると、図２Ａに示すように、ホログラム原版１０に記録されていたホログラム画像と同様の画像を観察することができる。
【００８４】
次に、画像記録媒体１を観察する視点を左右方向に沿って変化させたとする。すると、ホログラム原版１０に記録されていたホログラム画像が左右方向に連続した視差を有するものであるため、画像記録媒体１から観察される再生像も、視点の変化に応じて滑らかに変化する。
【００８５】
画像記録媒体１を観察する視点を右側に移動させると、例えば、図２Ｂに示すように、図２Ａに示す絵柄と異なった絵柄が観察される。画像記録媒体１を観察する視点を左側に移動させると、例えば、図２Ｃに示すように、図２Ａおよび図２Ｂに示す絵柄と異なった絵柄が観察される。なお、視点を固定して画像記録媒体１を左右方向に傾けた場合も、視点を移動させた場合と同様に、再生像が滑らかに変化する。
【００８６】
次に、画像記録媒体１を観察する視点を上下方向に沿って変化させたとする。すると、画像記録媒体１からの付加情報の二次元画像に関する回折光が、上下方向に関して±θ３以上の広がりをもつので、画像記録媒体１にたてた法線Ｎに対する角度がθ２となる方向に視点があるときに、付加情報の二次元画像が観察される。例えば、画像記録媒体１を観察する視点を上側に移動させると、図２Ｄに示すように、図２Ａに示す絵柄とは独立した付加情報の二次元画像が観察される。
【００８７】
［拡散板］
次に、本開示のホログラム複製装置に使用される拡散板について説明する。
【００８８】
図３Ａは、図１に示すホログラム記録媒体の周辺を拡大して示す略線図である。図１および図３Ａに示すように、本開示では、参照光Ｒｅは、照射光学系Ｓｏ１と、ホログラム記録媒体１５との間に配置された拡散板１３を介して、ホログラム記録媒体１５およびホログラム原版１０に入射する。言い換えれば、図１および図３Ａに示す構成例では、図１３に示す構成例とは異なり、ホログラム記録媒体１５に対して付加情報光Ｏｂの入射する側の光路上には拡散板が配置されておらず、拡散板が、参照光Ｒｅの入射側の光路上に配置されている。
【００８９】
図１３に示す構成例において、拡散板１３１は、付加情報の二次元画像を観察することのできる視点の範囲の拡大を目的として、付加情報光の入射側の光路上に配置されている。したがって、参照光の入射側に拡散板が配置されることにより、ホログラム原版１０から複製されたホログラム画像を観察することのできる視点の範囲と、付加情報の二次元画像を観察することのできる視点の範囲とが、ともに拡大される。すなわち、参照光の入射側に拡散板を配置することにより、付加情報の二次元画像を観察することのできる視点の範囲を拡大することができる。
【００９０】
本開示では、入射した光を特定の方向に関して拡散させる性質を有する拡散板（入射した光を異方性拡散する拡散板）、もしくは、入射した光を等方性拡散する拡散板が使用される。入射した光を拡散させる特定の方向（以下「第２方向」と適宜称する。）とは、ホログラム原版１０から連続した視差をもってホログラム画像が再生される視点の移動方向（以下「第１方向」と適宜称する。）とは異なる方向である。例えば、ホログラム原版１０から再生されるホログラム画像が、左右方向（図１のＸ軸に沿った方向）に連続した視差を有するものである場合には、入射した光を拡散板により拡散させる特定の方向は、上下方向（図１のＹ軸に沿った方向）とされる。
【００９１】
参照光の入射側に配置される拡散板としては、例えば、ホログラム原版１０から連続した視差をもってホログラム画像が再生される視点の移動方向に沿って延長する複数の構造体の集合を表面に備える光学素子を使用することができる。
【００９２】
図３Ｂは、本開示のホログラム複製方法に適用される拡散板の一例の断面を示す模式図である。図３Ｃは、図３Ｂに示す拡散板の平面図である。
【００９３】
図３Ｂおよび図３Ｃに示すように、参照光の入射側に配置される拡散板としては、具体的には、例えば、一次元方向に延長するレンチキュラ形状の構造体が、一主面上に複数形成された拡散板（以下「レンチキュラタイプの拡散板」と適宜称する。）などを挙げることができる。ここで、レンチキュラ形状とは、断面形状が、円弧状または弧状であることをいい、円弧状または弧状には、円弧状または弧状に歪みが施された曲線形状も含むものとする。
【００９４】
一主面上に形成される複数の構造体の断面形状は、レンチキュラ形状に限られず、例えば、プリズム形状や台形状、矩形状もしくはこれらの反転形状またはこれらの組み合わせなどであってもよい。また、複数の構造体は、隣接して形成されていてもよく、間隔をおいて形成されていてもよい。
【００９５】
参照光の入射側に配置される拡散板として、いわゆるホログラフィックディフューザを使用することもできる。ホログラフィックディフューザとしては、例えば、入射した光を異方性拡散または等方性拡散するホログラフィックディフューザを用いることができる。ホログラム画像（第１の画像）と付加情報の二次元画像（第２の画像）との第１の方向（例えば左右方向（図１のＸ軸に沿った方向））のクロストークを抑制する観点からすると、ホログラフィックディフューザとしては、入射した光を異方性拡散するホログラフィックディフューザを用いることが好ましい。一方、付加情報の二次元画像（第２の画像）の視認性の改善の観点からすると、ホログラフィックディフューザとしては、入射した光を等方性拡散するホログラフィックディフューザを用いることが好ましい。
【００９６】
ホログラフィックディフューザとして、入射した光を異方性拡散するホログラフィックディフューザを用いる場合、その異方性拡散は、入射した光を第１の方向（例えば左右方向（図１のＸ軸に沿った方向））に比して第２の方向（例えば上下方向（図１のＹ軸に沿った方向））に広く拡散させる異方性拡散であることが好ましく、入射した光をほぼ第２の方向のみに拡散させる異方性拡散であることがより好ましい。
【００９７】
ホログラフィックディフューザとして、入射した光を異方性拡散するホログラフィックディフューザを用いる場合、その拡散角度は、１０°以下の範囲内であることが好ましい。ホログラム画像（第１の画像）と付加情報の二次元画像（第２の画像）とのクロストークを抑制することができるからである。ここで、拡散角度とは、ホログラフィックディフューザの出射光強度分布の半値全角を意味している。
【００９８】
ホログラフィックディフューザは、ほぼランダムとされたホログラムパターンが表面に形成された光学素子であり、一例として、「ＬＩＧＨＴ  ＳＨＡＰＩＮＧ  ＤＩＦＦＵＳＥＲＳ（Ｌｕｍｉｎｉｔ有限責任会社の米国登録商標第８５２７２５８８号）」または「ＬＳＤ（Ｌｕｍｉｎｉｔ有限責任会社の米国登録商標第７７８６６０５２号）」の名称で販売されている。
【００９９】
上述のＬＳＤは、ポリカーボネートやアクリルのシート上に形成されたホログラムパターンが微小なレンズとして作用することにより、入射した光に対して、任意の角度に拡散する均質度の高い光を得ることができる光学素子である。例えば、楕円形拡散（一次元拡散）タイプのホログラフィックディフューザを、参照光の入射側に配置される拡散板として使用することができる。
【０１００】
または、十分な透過率を得られるものであれば、参照光の入射側に配置される拡散板として、例えば、入射した光を特定の方向に関して拡散させる性質を有する拡散板を原版とするコンタクトコピーがなされた透過型ホログラムを使用することも可能である。
【０１０１】
なお、拡散板１３と、ホログラム記録媒体１５との間の距離が大きすぎると、画像記録媒体から再生される再生像がぼやける傾向があるが、拡散板１３と、ホログラム記録媒体１５との間の距離は、拡散板１３の特性に応じて適宜設定することができる。
【０１０２】
ホログラム原版に対して直接的に、または間接的に密着されるホログラム記録媒体は、例えば、シート状とされて間欠送りによりホログラム複製装置に供給される。この場合、ホログラム複製装置に供給されたホログラム記録媒体における、所定のホログラム記録領域に対して、ホログラム画像の複製および付加情報の記録が順次行われる。そのため、拡散板１３が、ホログラム記録媒体１５に対してある程度の間隔をあけて配置されていると、量産の都合上便宜である。
【０１０３】
拡散板１３としてレンチキュラタイプの拡散板を用いる場合には、拡散板１３は、ホログラム記録媒体１５と密着されて配置されてもよい。ホログラム記録媒体１５との間の距離が小さいほど、画像記録媒体１からの再生像の鮮明度が向上するからである。この場合には、ホログラム画像の複製および付加情報の記録が終了するたびに、拡散板１３をホログラム記録媒体１５から剥離する必要が生じるが、画像記録媒体１を多面づけとする場合には、拡散板１３の剥離回数を減らすことができる。
【０１０４】
拡散板１３としてホログラフィックディフューザを用いる場合には、拡散板１３とホログラム記録媒体１５とをある程度離して配置することが好ましい。ホログラフィックディフューザの微細な形状パターンによる画像ムラの発生を抑制することができるからである。
【０１０５】
本開示によれば、参照光の入射側に拡散板が配置されるので、ホログラム記録媒体の表面にごく近い略一定平面において付加情報の二次元画像が結像される。すなわち、ホログラム記録媒体の面上に二次元画像を定位させることができる。したがって、ホログラム記録時における二次元画像の“定位ずれ”を防止でき、再生像のシャープネスの低下を抑制することができる。
【０１０６】
さらに、本開示においては、入射した光を特定の方向に関して拡散させる性質を有する拡散板を使用した場合には、該特定の方向が、ホログラム原版から連続した視差をもってホログラム画像が再生される視点の移動方向とは異なる方向とされる。そのため、連続した視差を有するホログラム画像の再生像の劣化を防止しながら、視点の移動に対する、二次元画像の回折光強度の変化を緩和することができる。したがって、本開示によれば、画像記録媒体から再生される個々の画像の観察のしやすさを向上させることができる。
【０１０７】
また、本開示においては、入射した光を等方性拡散する拡散板を使用した場合には、入射した光を異方性拡散する拡散板を使用した場合に比して、付加情報の二次元画像（第２の画像）の視認性を改善することができる。
【０１０８】
＜２．第２の実施形態＞
［ホログラム複製装置の一構成例］
図４は、第２の実施形態にかかるホログラム複製装置の一構成例を示す略線図である。図４に示すように、ホログラム複製装置２１は、ホログラム記録媒体１５およびホログラム原版１０に参照光を照射するための光学系と、ホログラム記録媒体１５に物体光としての付加情報光を照射するための光学系とを備えている点で、第１の実施形態と共通する。第２の実施形態は、液晶パネル１２５の表示面および偏光板１２７の主面と、ホログラム原版１０の主面とが平行を保つ配置とされる点において、第１の実施形態と異なる。
【０１０９】
図１に示す構成例では、ホログラム原版１０の主面に対して、液晶パネル１２５の表示面が傾けられている。液晶パネル１２５は、一般的に、斜め方向からの光の入射を想定して設計されていないため、ホログラム記録媒体１５への付加情報の記録において、光利用効率の低下、均一性の低下、散乱の増加などが生じうる。
【０１１０】
そこで、図４に示す構成例では、液晶パネル１２５の表示面と、ホログラム原版１０の主面とが平行を保つ配置とされている。このとき、図４に示すように、投影レンズ１４１、絞り１４２および投影レンズ１４３、光偏向シート１９およびルーバ１７を介して、ホログラム原版１０に対して付加情報光が入射される。
【０１１１】
光偏向シート１９は、あらかじめ設定された方向（入射角）に付加情報光を偏向する光学素子である。光偏向シート１９は、光路差をなくし、全面に渡って焦点の合いやすい状況とするために、ホログラム原版１０に近接して配置される。図４に示す構成例では、ホログラム原版１０における、ホログラム記録媒体１５が密着される側とは反対側の主面と近接して光偏向シート１９が配置されている。光偏向シート１９としては、例えば、ホログラフィックオプティカルエレメント、回折光学素子、屈折角制御プリズムシートなどを使用することができる。
【０１１２】
＜３．第３の実施形態＞
［ホログラム複製装置の一構成例］
図５は、第３の実施形態にかかるホログラム複製装置の一構成例を示す略線図である。図５においては、液晶パネルの出射面に配置される偏光板の図示が省略されている。
【０１１３】
図５に示すように、ホログラム複製装置３１は、ホログラム記録媒体１５およびホログラム原版１０に参照光を照射するための光学系と、第１の付加情報光を照射するための光学系とを備えている点で、第１の実施形態と共通する。第３の実施形態は、第２の付加情報光を照射するための光学系をさらに備える点において、第１の実施形態と異なる。
【０１１４】
第３の実施形態においては、照射光学系Ｓｏ２から出射されたレーザ光が、ハーフミラー１０８に入射する。ハーフミラー１０８に入射したレーザ光は、反射光と、透過光とに分岐される。
【０１１５】
ハーフミラー１０８で反射されたレーザ光は、液晶パネル１２５ａに入射する。液晶パネル１２５ａを通過したレーザ光には、液晶パネル１２５ａの画面に表示された付加情報（以下、第１の付加情報と適宜記載する。）が重畳される。液晶パネル１２５ａに表示された第１の付加情報の画像は、投影レンズ１２１ａ、絞り１２２ａおよび投影レンズ１２３ａから構成される結像光学系と、ホログラム原版１０とを介して、ホログラム記録媒体１５に結像される。
【０１１６】
一方、ハーフミラー１０８を透過したレーザ光は、ミラー１０９で反射された後、液晶パネル１２５ｂに入射する。液晶パネル１２５ｂを通過したレーザ光には、液晶パネル１２５ｂの画面に表示された付加情報（以下、第２の付加情報と適宜記載する。）が重畳される。液晶パネル１２５ｂに表示された第２の付加情報の画像は、投影レンズ１２１ｂ、絞り１２２ｂおよび投影レンズ１２３ｂから構成される結像光学系と、ホログラム原版１０とを介して、ホログラム記録媒体１５に結像される。
【０１１７】
ホログラム記録媒体１５に対して、参照光と、第１の付加情報光と、第２の付加情報光とが同時に照射されることにより、ホログラム原版１０に記録されたホログラム画像と、第１の付加情報と、第２の付加情報とが、ホログラム記録媒体１５に記録される。
【０１１８】
このとき、図５に示すように、第１の付加情報が重畳された第１の付加情報光のホログラム記録媒体１５に対する入射角と、第２の付加情報が重畳された第２の付加情報光のホログラム記録媒体１５に対する入射角とは、相異なるものとされる。これにより、画像記録媒体を観察したときにおける、第１の付加情報の再生像を観察することができる視点と、第２の付加情報の再生像を観察することができる視点とを異ならせることができる。すなわち、ホログラム記録媒体１５に対して、ホログラム原版１０に記録されたホログラム画像の複製に加えて、２つの観察方向に応じた２種類の付加情報を記録することができる。
【０１１９】
なお、参照光と、第１または第２の付加情報光とは、ホログラム記録媒体１５に対して同時に照射される必要があるが、参照光と、第１の付加情報光とを同時に照射した後に、参照光と、第２の付加情報光とを同時に照射するようにしてもよい。さらに、付加情報光は、３以上とされてもよい。
【０１２０】
＜４．第４の実施形態＞
［ホログラム複製装置の一構成例］
図６は、第４の実施形態にかかるホログラム複製装置の一構成例を示す略線図である。図６に示すように、本開示の技術は、透過型ホログラムをホログラム原版１０ｔとして使用する場合にも適用することが可能である。
【０１２１】
図６に示すように、ホログラム複製装置４１においては、ホログラム原版１０ｔと、ホログラム記録媒体１５とが密着される。
【０１２２】
照射光学系Ｓｏ１と、ホログラム記録媒体１５との間に配置された拡散板１３を介して、参照光が、ホログラム原版１０ｔおよびホログラム記録媒体１５に入射する。また、照射光学系Ｓｏ２から出射され、液晶パネル１２５を通過したレーザ光（付加情報光）が、偏光板１２７と、投影レンズ１２１、絞り１２２および投影レンズ１２３から構成される結像光学系と、ホログラム原版１０ｔとを介して、ホログラム記録媒体１５に入射する。
【０１２３】
ホログラム記録媒体１５に対して、参照光と、付加情報光とが同時に照射されることにより、ホログラム原版１０ｔに記録されたホログラム画像と、付加情報の二次元画像とが、ホログラム記録媒体１５に記録される。
【０１２４】
図６に示すように、拡散板１３は、付加情報光が入射しない位置に配置される。そのため、付加情報の二次元画像を観察できる視点の範囲を拡大しながらも、ホログラム記録媒体１５に対する付加情報の二次元画像の記録時の“定位ずれ”を防止することができる。
【０１２５】
＜５．第５の実施形態＞
［ホログラム複製装置の一構成例］
図７は、第５の実施形態にかかるホログラム複製装置の一構成例を示す略線図である。図７に示すように、ホログラム複製装置５１は、ホログラム記録媒体１５およびホログラム原版１０に参照光を照射するための光学系と、ホログラム記録媒体１５に物体光としての付加情報光を照射するための光学系とを備えている点で、第１の実施形態と共通する。第５の実施形態においては、画像記録媒体を観察したときに、ホログラム原版１０から複製されたホログラム画像の再生像の色みと、付加情報の二次元画像の再生像の色みとが、相異なったものとされる点において、第１の実施形態と異なる。
【０１２６】
画像記録媒体から再生されたホログラム画像の再生像の色みと、画像記録媒体から再生された付加情報の二次元画像の再生像の色みとを相異なったものとするための方法としては、複数の方法を挙げることができる。図７に示す構成例は、ホログラム原版１０に記録されたホログラム画像の複製のためのレーザ光の波長と、付加情報の二次元画像の記録のためのレーザ光の波長とを相異なるものとして、多重露光する例である。
【０１２７】
図７に示すように、ホログラム複製装置５１は、例えば、緑のレーザ（例えば、半導体励起第二次高調波を使った波長５３２ｎｍのレーザ）光源１００Ｇと、赤のレーザ（例えば、波長６３３ｎｍのＨｅＮｅレーザ）光源１００Ｒとを備える。緑のレーザ光源１００Ｇから出射されるレーザ光（以下、緑色レーザ光と適宜称する。）は、ホログラム原版１０に記録されたホログラム画像の複製に使用される。一方、赤のレーザ光源１００Ｒから出射されるレーザ光（以下、赤色レーザ光と適宜称する。）は、付加情報の二次元画像の記録に使用される。
【０１２８】
緑のレーザ光源１００Ｇから出射された緑色レーザ光は、図７に示すように、１／２波長板１０３Ｇを通過した後、偏光ビームスプリッタ１０５Ｇに入射する。一方、赤のレーザ光源１００Ｒから出射された赤色レーザ光は、図７に示すように、偏光ビームスプリッタ１０５Ｒに入射することにより、２つのレーザ光に分岐される。このとき、例えば、偏光ビームスプリッタ１０５Ｒにより反射された成分は、偏光ビームスプリッタ１０５Ｇに入射し、偏光ビームスプリッタ１０５Ｇに入射した緑色レーザ光と合成される。
【０１２９】
偏光ビームスプリッタ１０５Ｇに入射することにより合成されたレーザ光が、空間フィルタ１１１、コリメーションレンズ１１３および拡散板１３を介して、ホログラム記録媒体１５およびホログラム原版１０に参照光として照射される。
【０１３０】
赤色レーザ光のうち、偏光ビームスプリッタ１０５Ｒを透過した成分は、ミラー１０７で反射された後、空間フィルタ１１２、コリメーションレンズ１１４を通過してミラー１０９に入射する。
【０１３１】
ミラー１０９によって反射されたレーザ光は、空間光変調素子としての液晶パネル１２５に入射し、付加情報が重畳される。付加情報が重畳され、偏光板１２７を通過したレーザ光は、投影レンズ１２１、絞り１２２および投影レンズ１２３からなる結像光学系、ルーバ１７ならびにホログラム原版１０を介して、ホログラム記録媒体１５に物体光として照射される。
【０１３２】
ホログラム記録媒体１５には、参照光が照射されることによりホログラム原版１０から出射される回折光（再生光）と参照光との干渉による干渉パターンおよび付加情報光と参照光との干渉による干渉パターンが記録される。このようにして、緑色の画像（ホログラム原版１０に記録されたホログラム画像の複製画像）および赤色の画像（付加情報の二次元画像）の記録がなされる。なお、赤色の画像と、緑色の画像とは、同時に記録されてもよいし、順次に記録されてもよい。
【０１３３】
第５の実施形態によれば、画像記録媒体から再生されるホログラム画像の再生像の色みと、画像記録媒体から再生される付加情報の二次元画像の再生像の色みとを相異なったものとすることができ、両者の分離性を向上させることができる。なお、本出願人らは、被験者３０人を対象に統計をとり、２つの画像のそれぞれに関する回折光強度のピークに対応する波長が例えば２５ｎｍ以上離れていると、白色光で照明したときに、２つの画像が色分離して見えやすいという結果を得ている。
【実施例】
【０１３４】
以下、実施例により本開示を具体的に説明するが、本開示はこれらの実施例のみに限定されるものではない。
【０１３５】
以下に説明する実施例では、ホログラム複製装置における拡散板の配置および仕様をかえて製作された画像記録媒体のサンプルを準備した。さらに、準備した各サンプルについて、所定の照明光のもとにおいて、記録された画像を画像記録媒体から再生させ、画像記録媒体の輝度を測定した。画像記録媒体の輝度を測定することにより、ホログラム原版から複製されたホログラム画像および付加情報の二次元画像に関する回折光強度の評価を行った。
【０１３６】
［サンプルの準備］
まず、拡散板として、レンチキュラタイプの拡散板を使用してサンプルを作製し、そのサンプルを評価した。
【０１３７】
（サンプル１）
まず、図４に示すホログラム複製装置と同様の構成により、ホログラム記録媒体に対して、ホログラム原版に記録されたホログラム画像の複製および付加情報の二次元画像の記録を行い、サンプル１の画像記録媒体を得た。なお、ホログラム複製装置における拡散板とホログラム原版との間の距離は、９０ｍｍに設定した。また、光偏向シートとして、屈折角が２３°のプリズムシートを使用した。
【０１３８】
サンプル１の画像記録媒体の製作にあたっては、拡散板として、一次元方向に延長するレンチキュラ形状の構造体が、一主面上に複数形成された拡散板を使用した。
【０１３９】
レンチキュラ形状の構造体を備える拡散板の仕様は、レンチキュラの曲面形状の各単位を円の一部とみなしたときに、そのうちの１つの円の半径Ｒと、隣接するレンチキュラに関する円の中心間の距離（ピッチ）Ｐとにより表すことができる。図８Ａに、レンチキュラ形状の構造体を備える拡散板７３における、複数のレンチキュラ形状と、各形状パラメータとの関係を示す。
【０１４０】
サンプル１の画像記録媒体の製作に使用した拡散板に関する、形状パラメータＲおよびＰの値を以下に示す。
Ｒ：    ０．１２ｍｍ
Ｐ：    ０．０１９ｍｍ
【０１４１】
（サンプル２）
次に、形状パラメータの異なる拡散板を使用したこと以外はサンプル１の場合と同様にして、サンプル２の画像記録媒体を製作した。
【０１４２】
サンプル２の画像記録媒体の製作に使用した拡散板に関する、形状パラメータＲおよびＰの値を以下に示す。
Ｒ：    ０．１２ｍｍ
Ｐ：    ０．０３８ｍｍ
【０１４３】
（サンプル３）
次に、拡散板が配置されないこと以外はサンプル１およびサンプル２の場合と同様にして、ホログラム記録媒体に対して、ホログラム原版に記録されたホログラム画像の複製および付加情報の二次元画像の記録を行い、サンプル３の画像記録媒体を得た。すなわち、サンプル３の画像記録媒体の製作に使用したホログラム複製装置は、図４に示すホログラム複製装置の構成から、拡散板を除いた構成を有するホログラム複製装置である。
【０１４４】
［回折光強度の評価］
次に、所定の照明光のもとにおいて、各サンプルに対する観察方向をかえて各サンプルの輝度を測定することにより、各サンプルから再生される画像の回折光強度を評価した。
【０１４５】
ここで、回折光強度は、以下の方法により測定した。
【０１４６】
図８Ｂおよび図８Ｃは、回折光強度の測定方法を示した概略図である。図８Ｂに示すように、黒色のシート９２の上に、測定対象９１として、画像記録媒体が配置される。黒色のシート９２の上に測定対象９１を配置するのは、測定対象９１からの回折光（再生光）を測定するときに、背景が透けて見えることによる測定誤差を低減するためである。
【０１４７】
測定対象９１から３８０ｍｍの距離をおいて、測定装置７４が、配置される。なお、測定装置７４による輝度の測定においては、視野０．２°に設定した。
【０１４８】
測定対象９１から所定の方向にそって２８０ｍｍ離れた位置に、光源８３が配置される。光源８３は、測定対象９１の表面にたてた法線Ｎと、光源８３から入射する光の光軸とのなす角θが、所定の角度となるように配置される。所定の角度とは、例えば、４５°である。
【０１４９】
以下に、この測定で使用した測定装置および光源を示す。
測定装置  …色彩輝度計（Konica-Minolta  CS-200）
光源（白色光源）…ハロゲン光源（Ｙｘｙ色度図上    Ｙ:96.0, ｘ:0.4508, y:0.4075）
【０１５０】
図８Ｂに示すように、光源８３からの照射光ＩＬが、測定対象９１に入射する。測定対象９１に照射された照明光の一部は、測定対象９１により回折されて測定装置７４に到達し、各サンプルの輝度に関するデータが得られる。
【０１５１】
測定は、ホログラム原版から複製されたホログラム画像および付加情報の二次元画像のそれぞれについて行った。視点をＸ方向（左右方向）にそって移動させたときの回折光強度の変化は、図８Ｂに示す、測定対象９１の中心を通る軸Ｒａを回転軸として、測定対象９１を左右に傾け、図８Ｃに示す角αを変化させることにより行った。視点をＹ方向（上下方向）にそって移動させたときの回折光強度の変化は、測定対象９１に対して測定装置７４をＹＺ面内で回転させ、測定対象９１と測定装置７４とを結ぶ線と、法線Ｎとの間の角βを変化させることにより行った。
【０１５２】
各サンプルに関する輝度の測定結果を、図９Ａおよび図９Ｂならびに図１０Ａおよび図１０Ｂに示す。ここで、図９Ａおよび図９Ｂならびに図１０Ａおよび図１０Ｂのグラフ中における［ａ．ｕ．］は、任意単位（arbitrary unit）を意味する。なお、図９Ａおよび図９Ｂならびに図１０Ａおよび図１０Ｂに示す測定結果は、測定対象９１において白が印画された部分に関する測定結果である。
【０１５３】
図９Ａは、横軸をＹＺ面内の角β［ｄｅｇ］、縦軸を、ホログラム原版から複製されたホログラム画像に関する輝度Ｂ［ａ．ｕ．］としたグラフである。図９Ａにおいては、サンプル１に関する測定結果を実線Ｌｙ１−１により示し、サンプル２に関する測定結果を破線Ｌｙ１−２により示し、サンプル３に関する測定結果を破線Ｌｙ１−３により示した。
【０１５４】
図９Ｂは、横軸をＺＸ面内の角α［ｄｅｇ］、縦軸を、ホログラム原版から複製されたホログラム画像に関する輝度Ｂ［ａ．ｕ．］としたグラフである。図９Ｂにおいては、サンプル１に関する測定結果を実線Ｌｘ１−１により示し、サンプル２に関する測定結果を破線Ｌｘ１−２により示し、サンプル３に関する測定結果を破線Ｌｘ１−３により示した。
【０１５５】
図１０Ａは、横軸をＹＺ面内の角β［ｄｅｇ］、縦軸を、付加情報の二次元画像に関する輝度Ｂ［ａ．ｕ．］としたグラフである。図１０Ａにおいては、サンプル１に関する測定結果を実線Ｌｙ２−１により示し、サンプル２に関する測定結果を破線Ｌｙ２−２により示し、サンプル３に関する測定結果を破線Ｌｙ２−３により示した。
【０１５６】
図１０Ｂは、横軸をＺＸ面内の角α［ｄｅｇ］、縦軸を、付加情報の二次元画像に関する輝度Ｂ［ａ．ｕ．］としたグラフである。図１０Ｂにおいては、サンプル１に関する測定結果を実線Ｌｘ２−１により示し、サンプル２に関する測定結果を破線Ｌｘ２−２により示し、サンプル３に関する測定結果を破線Ｌｘ２−３により示した。
【０１５７】
図９Ａおよび図９Ｂより、以下のことがわかった。
【０１５８】
本開示の構成においては、Ｙ方向に関する、ホログラム原版から複製されたホログラム画像（第１の画像）を観察することのできる視点の範囲がわずかに拡大されるが、Ｘ方向に関する、該画像を観察することのできる視点の範囲が維持されることがわかる。なお、所定の方向からの照明光のもとで、サンプル１およびサンプル２の画像記録媒体を目視により観察したところ、画像記録媒体から再生された第１の画像を明瞭に確認することができた。
【０１５９】
図１０Ａおよび図１０Ｂより、以下のことがわかった。
【０１６０】
サンプル１およびサンプル２の測定結果と、サンプル３の測定結果とを比較すると、サンプル１およびサンプル２の画像記録媒体では、Ｙ方向に関する、付加情報の二次元画像（第２の画像）を観察することのできる視点の範囲が拡大されていることがわかった。すなわち、本開示の構成においては、Ｙ方向に関する、付加情報の二次元画像（第２の画像）を観察することのできる視点の範囲が拡大され、観察方向の変化に対する該画像の回折光強度の変化が緩和されることがわかった。なお、Ｘ方向に関する、第２の画像を観察することのできる視点の範囲には、大きな変化がないことがわかった。
【０１６１】
したがって、ホログラム記録媒体に対して、入射した光を特定の方向に関して拡散させる性質を有する拡散板を、参照光の入射側に配置することにより、視点の移動に対する、第２の画像の回折光強度の変化を緩和できることがわかった。
【０１６２】
図９Ａおよび図１０Ａより、以下のことがわかった。
【０１６３】
サンプル１およびサンプル２の測定結果から、第１の画像を観察できる視点の範囲と、第２の画像を観察できる視点の範囲とは重複しておらず、本開示の構成によれば、Ｙ方向に関する、第１の画像と、第２の画像との間のクロストークを防止できることがわかった。
【０１６４】
なお、所定の方向からの照明光のもとで、サンプル１およびサンプル２の画像記録媒体を目視により観察したところ、画像記録媒体から再生された第２の画像を明瞭に確認することができた。すなわち、画像記録媒体から再生される第２の画像が画像記録媒体の面上に定位されており、本開示の構成によれば、二次元画像の“定位ずれ”を防止できることがわかった。
【０１６５】
［サンプルの準備］
次に、拡散板として、ホログラフィックディフューザを使用してサンプルを作製し、そのサンプルを評価した。
【０１６６】
（サンプル４）
まず、図４に示すホログラム複製装置と同様の構成により、ホログラム記録媒体に対して、ホログラム原版に記録されたホログラム画像の複製および付加情報の二次元画像の記録を行い、サンプル４の画像記録媒体を得た。なお、ホログラム複製装置における拡散板とホログラム原版との間の距離は、９０ｍｍに設定した。また、光偏向シートとして、屈折角が２３°のプリズムシートを使用した。
【０１６７】
拡散板として、楕円拡散（異方性拡散）タイプのホログラフィックディフューザを使用した。使用したホログラフィックディフューザの拡散特性を以下に示す。
上下方向（図１のＹ軸に沿った方向）の拡散角度：１０°
左右方向（図１のＸ軸に沿った方向）の拡散角度：１°
ここで、拡散角度は、ホログラフィックディフューザの出射光強度分布の半値全角である。
【０１６８】
（サンプル５）
拡散板として円拡散（等方性拡散）タイプのホログラフィックディフューザを使用したこと以外はサンプル１の場合と同様にして、サンプル５の画像記録媒体を作製した。使用したホログラフィックディフューザの拡散特性を以下に示す。
拡散角度：５°
ここで、拡散角度は、ホログラフィックディフューザの出射光強度分布の半値全角である。
【０１６９】
（サンプル６）
拡散板が配置されないこと以外はサンプル３およびサンプル４の場合と同様にして、ホログラム記録媒体に対して、ホログラム原版に記録されたホログラム画像の複製および付加情報の二次元画像の記録を行い、サンプル６の画像記録媒体を得た。すなわち、サンプル５の画像記録媒体の製作に使用したホログラム複製装置は、図４に示すホログラム複製装置の構成から、拡散板を除いた構成を有するホログラム複製装置である。
【０１７０】
［回折光強度の評価］
上述のようにして作製したサンプル４〜６の回折光強度をサンプル１〜３と同様にして評価した。
【０１７１】
各サンプルに関する輝度の測定結果を、図１１Ａおよび図１１Ｂならびに図１２Ａおよび図１２Ｂに示す。ここで、図１１Ａおよび図１１Ｂならびに図１２Ａおよび図１２Ｂのグラフ中における［ａ．ｕ．］は、任意単位（arbitrary unit）を意味する。なお、図９Ａおよび図９Ｂならびに図１０Ａおよび図１０Ｂに示す測定結果は、測定対象９１において白が印画された部分に関する測定結果である。
【０１７２】
図１１Ａは、横軸をＹＺ面内の角β［ｄｅｇ］、縦軸を、ホログラム原版から複製されたホログラム画像に関する輝度Ｂ［ａ．ｕ．］としたグラフである。図１１Ａにおいては、サンプル４に関する測定結果を実線Ｌｙ３−１により示し、サンプル５に関する測定結果を破線Ｌｙ３−２により示し、サンプル６に関する測定結果を破線Ｌｙ３−３により示した。
【０１７３】
図１１Ｂは、横軸をＺＸ面内の角α［ｄｅｇ］、縦軸を、ホログラム原版から複製されたホログラム画像に関する輝度Ｂ［ａ．ｕ．］としたグラフである。図１１Ｂにおいては、サンプル４に関する測定結果を実線Ｌｘ３−１により示し、サンプル５に関する測定結果を破線Ｌｘ３−２により示し、サンプル６に関する測定結果を破線Ｌｘ３−３により示した。
【０１７４】
図１２Ａは、横軸をＹＺ面内の角β［ｄｅｇ］、縦軸を、付加情報の二次元画像に関する輝度Ｂ［ａ．ｕ．］としたグラフである。図１２Ａにおいては、サンプル４に関する測定結果を実線Ｌｙ４−１により示し、サンプル５に関する測定結果を破線Ｌｙ４−２により示し、サンプル６に関する測定結果を破線Ｌｙ４−３により示した。
【０１７５】
図１２Ｂは、横軸をＺＸ面内の角α［ｄｅｇ］、縦軸を、付加情報の二次元画像に関する輝度Ｂ［ａ．ｕ．］としたグラフである。図１２Ｂにおいては、サンプル４に関する測定結果を実線Ｌｘ４−１により示し、サンプル５に関する測定結果を破線Ｌｘ４−２により示し、サンプル６に関する測定結果を破線Ｌｘ４−３により示した。
【０１７６】
図１１Ａおよび図１１Ｂより、以下のことがわかった。
【０１７７】
サンプル４およびサンプル５の画像記録媒体では、Ｙ方向に関する、ホログラム原版から複製されたホログラム画像（第１の画像）を観察することのできる視点の範囲がわずかに拡大されるが、Ｘ方向に関する、該画像を観察することのできる視点の範囲が維持されることがわかる。なお、所定の方向からの照明光のもとで、サンプル４およびサンプル５の画像記録媒体を目視により観察したところ、画像記録媒体から再生された第１の画像を明瞭に確認することができた。
【０１７８】
図１２Ａおよび図１２Ｂより、以下のことがわかった。
【０１７９】
サンプル４およびサンプル５の測定結果と、サンプル６の測定結果とを比較すると、サンプル４およびサンプル５の画像記録媒体では、Ｙ方向に関する、付加情報の二次元画像（第２の画像）を観察することのできる視点の範囲が拡大されていることがわかった。すなわち、本開示の構成においては、Ｙ方向に関する、付加情報の二次元画像（第２の画像）を観察することのできる視点の範囲が拡大され、観察方向の変化に対する該画像の回折光強度の変化が緩和されることがわかった。なお、サンプル５に関してはＸ方向に関しても、回折光強度の変化が緩和されることがわかった。
【０１８０】
したがって、ホログラム記録媒体に対して、入射した光を異方性拡散または等方性拡散する拡散板を、参照光の入射側に配置することにより、視点の移動に対する、第２の画像の回折光強度の変化を緩和できることがわかった。
【０１８１】
図１１Ａおよび図１２Ａより、以下のことがわかった。
【０１８２】
サンプル４の測定結果から、第１の画像を観察できる視点の範囲と、第２の画像を観察できる視点の範囲とは重複しておらず、本開示の構成によれば、Ｙ方向に関する、第１の画像と、第２の画像との間のクロストークを防止できることがわかった。
すなわち、入射光を等方性拡散する拡散板を使用した場合でも、拡散角度が小さい場合（拡散角度が１０°の範囲内の場合）には、入射光を異方性拡散する拡散板を使用した場合と同様に、第１の画像と、第２の画像との間のクロストークを防止できることがわかった。
サンプル５では、サンプル４に比してクロストーク防止の効果が僅かながら低下する傾向が見られたが、付加情報の二次元画像（第２の画像）の視認性の改善効果がサンプル４に比して大きいことがわかった。
【０１８３】
なお、所定の方向からの照明光のもとで、サンプル４およびサンプル５の画像記録媒体を目視により観察したところ、画像記録媒体から再生された第２の画像を明瞭に確認することができた。すなわち、画像記録媒体から再生される第２の画像が画像記録媒体の面上に定位されており、本開示の構成によれば、二次元画像の“定位ずれ”を防止できることがわかった。
【０１８４】
＜６．変形例＞
以上、好適な実施形態について説明してきたが、好適な具体例は、上述した例に限定されるものではなく、各種の変形が可能である。
【０１８５】
例えば、付加情報として、シリアル番号、製造者名、ロット番号、一次元バーコード、二次元バーコードなどの識別情報以外の画像情報を記録することもできる。
【０１８６】
また、例えば、好適な実施形態の説明では、空間光変調素子として液晶パネルが使用される構成例を示したが、液晶パネル以外の素子が使用されてもよい。付加情報は、液晶パネルの表示面に拡大投影または縮小投影されてもよい。
【０１８７】
なお、上述の実施形態において挙げた構成、方法、形状、工程、材料および数値などはあくまでも例に過ぎず、必要に応じてこれと異なる構成、方法、形状、工程、材料および数値などを用いてもよい。上述の実施形態の構成、方法、形状、工程、材料および数値などは、本開示の主旨を逸脱しない限り、互いに組み合わせることが可能である。
【０１８８】
例えば、本開示は以下のような構成もとることができる。
（１）
所定の角度から照明した際に、法線に対して第１の方向に沿って視点を動かすと少なくとも該第１の方向には連続した視差をもつホログラム画像が記録されたホログラム原版を、感光性材料を含むホログラム記録媒体の一面に対して直接または屈折率調整体を介して密着させ、
第１のレーザ光を、入射した光を第２の方向に関して拡散させる拡散板を介して前記ホログラム原版および前記ホログラム記録媒体に対して照射するとともに、入射した光を第１の付加情報に応じて変調する第１の空間光変調素子を通過した第２のレーザ光を、前記ホログラム記録媒体に対して前記第１のレーザ光と同時に前記ホログラム原版を介して照射し、
前記ホログラム原版に記録されたホログラム画像と、前記第１の付加情報とを前記ホログラム記録媒体に記録するホログラム複製方法。
（２）
前記ホログラム原版における、前記ホログラム記録媒体が密着される側とは反対側の主面と近接して光偏向素子がさらに配置される（１）に記載のホログラム複製方法。
（３）
前記拡散板が、前記ホログラム記録媒体に離間して配置される（１）または（２）に記載のホログラム複製方法。
（４）
前記拡散板の表面が、前記第１の方向に延長するレンチキュラ形状の構造体の配列を有する（１）ないし（３）のいずれか１項に記載のホログラム複製方法。
（５）
前記ホログラム記録媒体が、情報を体積型ホログラムとして記録するホログラム記録媒体である（１）ないし（４）のいずれか１項に記載のホログラム複製方法。
（６）
前記第１の付加情報が、識別情報である（１）ないし（５）のいずれか１項に記載のホログラム複製方法。
（７）
前記ホログラム原版に記録されている前記ホログラム画像が、ホログラフィックステレオグラムである（１）ないし（６）のいずれか１項に記載のホログラム複製方法。
（８）
前記第２のレーザ光の波長と、前記ホログラム原版に記録されている前記ホログラム画像を再生させるための光の波長とが、相異なる（１）ないし（７）のいずれか１項に記載のホログラム複製方法。
（９）
前記第２のレーザ光の波長と、前記ホログラム原版に記録されている前記ホログラム画像を再生させるための光の波長とが、少なくとも２５ｎｍ以上離れている（１）ないし（８）のいずれか１項に記載のホログラム複製方法。
（１０）
入射した光を第２の付加情報に応じて変調する第２の空間光変調素子を通過した第３のレーザ光を、前記ホログラム記録媒体に対して前記第２のレーザ光とは異なる入射角でもって前記第１のレーザ光と同時に前記ホログラム原版を介してさらに照射し、
前記第２の付加情報を前記ホログラム記録媒体にさらに記録する（１）ないし（９）のいずれか１項に記載のホログラム複製方法。
（１１）
ホログラム画像が記録されたホログラム原版を、ホログラム記録媒体の一面に対して配置し、
第１のレーザ光を、拡散板を介して前記ホログラム原版および前記ホログラム記録媒体に対して照射するとともに、第２のレーザ光を付加情報に応じて変調し、前記ホログラム原版を介して前記ホログラム記録媒体に対して照射する
ことを含むホログラム複製方法。
（１２）
前記拡散板は、入射した光を等方性拡散する拡散板である（１１）に記載のホログラム複製方法。
（１３）
前記等方性拡散の拡散角度は、１０°以下の範囲内ある（１２）に記載のホログラム複製方法。
（１４）
前記拡散板は、入射した光を異方性拡散する拡散板である（１１）に記載のホログラム複製方法。
（１５）
前記異方性拡散は、入射した光を第１の方向に比して第２の方向に広く拡散させる異方性拡散である（１４）に記載のホログラム複製方法。
（１６）
前記拡散板は、ホログラフィックディフューザである（１１）ないし（１５）のいずれか１項に記載のホログラム複製方法。
（１７）
所定の角度から照明した際に、法線に対して第１の方向に沿って視点を動かすと少なくとも該第１の方向には連続した視差をもつホログラム画像が記録されたホログラム原版と、前記ホログラム原版の一面に直接または屈折率調整体を介して密着される、感光性材料を含むホログラム記録媒体とに第１のレーザ光を照射するための第１の照射光学系と、
前記第１の照射光学系と、前記ホログラム記録媒体との間に配置され、入射した光を第２の方向に関して拡散させる拡散板と、
前記ホログラム原版を介して、前記ホログラム記録媒体に第２のレーザ光を照射するための第２の照射光学系と、
前記第２の照射光学系と、前記ホログラム原版との間に配置され、入射した光を付加情報に応じて変調する空間光変調素子と
を備え、
前記第１のレーザ光と、前記第２のレーザ光とを同時に照射することにより、前記ホログラム原版に記録されたホログラム画像と、前記付加情報とを前記ホログラム記録媒体に記録するホログラム複製装置。
（１８）
ホログラム画像が記録されたホログラム原版と、前記ホログラム原版の一面に配置されるホログラム記録媒体とに第１のレーザ光を照射するための第１の照射光学系と、
前記第１の照射光学系と、前記ホログラム記録媒体との間に配置された拡散板と、
前記ホログラム原版を介して、前記ホログラム記録媒体に第２のレーザ光を照射するための第２の照射光学系と、
前記第２の照射光学系と、前記ホログラム原版との間に配置され、入射した光を付加情報に応じて変調する空間光変調素子と
を備えるホログラム複製装置。
【符号の説明】
【０１８９】
１・・・画像記録媒体
１０，１０ｔ・・・ホログラム原版
１１，２１，３１，４１，５１・・・ホログラム複製装置
１３・・・拡散板
１５・・・ホログラム記録媒体
１７・・・ルーバ
１９・・・光偏向シート
１２５，１２５ａ，１２５ｂ・・・液晶パネル
Ｓｏ１，Ｓｏ２・・・照射光学系
【図１】
2013122573.tif 000003
【図２】
2013122573.tif 000004
【図３】
2013122573.tif 000005
【図４】
2013122573.tif 000006
【図５】
2013122573.tif 000007
【図６】
2013122573.tif 000008
【図７】
2013122573.tif 000009
【図８】
2013122573.tif 000010
【図９】
2013122573.tif 000011
【図１０】
2013122573.tif 000012
【図１１】
2013122573.tif 000013
【図１２】
2013122573.tif 000014
【図１３】
2013122573.tif 000015
【図１４】
2013122573.tif 000016